【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
撮影指示を入力するための操作子と、前記操作子の操作に基づいて撮影を実行する撮影手段とを備えた撮影装置であって、
ぶれ量を検出するぶれ量検出手段と、
前記ぶれ量検出手段の検出結果に基づいて前記操作子が操作される前後のぶれ量を比較して、撮影者の手ぶれ傾向が、前記操作子の操作の後に撮影画像に生じるぶれが視認し難くなる程度のぶれ量に収束する第１手ぶれ傾向、及び、前記操作子の操作の後に撮影画像に生じるぶれが視認し難くなる程度のぶれ量に収束しない第２手ぶれ傾向の何れであるかを特定し、前記手ぶれ傾向情報を生成する手ぶれ傾向情報生成手段と、
前記手ぶれ傾向情報生成手段によって生成された手ぶれ傾向情報を記憶する記憶手段と、
前記操作子が操作される前のぶれ量に基づいて、撮影者の手ぶれ傾向が前記第１手ぶれ傾向及び第２手ぶれ傾向の何れであるかを特定する手ぶれ傾向特定手段と、を備え、
前記手ぶれ傾向特定手段の特定結果よりも、前記記憶手段に記憶されている手ぶれ傾向情報を優先し、当該手ぶれ傾向情報に示された手ぶれ傾向に応じて前記撮影手段が撮影を実行する第１優先モードと、
前記手ぶれ傾向情報よりも、前記手ぶれ傾向特定手段の特定結果を優先し、当該特定結果が示す手ぶれ傾向に応じて前記撮影手段が撮影を実行する第２優先モードとが選択可能に構成されるとともに、
前記撮影手段は、前記第１手ぶれ傾向に応じて前記撮影を実行する場合、前記操作子の操作後のぶれ量が収束したときに撮影を開始し、前記第２手ぶれ傾向に応じて前記撮影を実行する場合、露光時間、絞り値および感度を含む撮影条件を、撮影画像にぶれが生じにくい撮影条件に変更して撮影を開始する
ことを特徴とする撮影装置。
【請求項２】
請求項１に記載の撮影装置を備えることを特徴とする電子機器。
【請求項３】
撮影指示を入力するための操作子と、前記操作子の操作に基づいて撮影を実行する撮影手段と、ぶれ量を検出するぶれ量検出手段とを備えた撮影装置を、
前記ぶれ量検出手段の検出結果に基づいて前記操作子が操作される前後のぶれ量を比較して、撮影者の手ぶれ傾向が、前記操作子の操作の後に撮影画像に生じるぶれが視認し難くなる程度のぶれ量に収束する第１手ぶれ傾向、及び、前記操作子の操作の後に撮影画像に生じるぶれが視認し難くなる程度のぶれ量に収束しない第２手ぶれ傾向の何れであるかを特定し、前記手ぶれ傾向情報を生成する手ぶれ傾向情報生成手段、
前記手ぶれ傾向情報生成手段によって生成された手ぶれ傾向情報を記憶する記憶手段、
前記操作子が操作される前のぶれ量に基づいて、撮影者の手ぶれ傾向が前記第１手ぶれ傾向及び第２手ぶれ傾向の何れであるかを特定する手ぶれ傾向特定手段、
前記手ぶれ傾向特定手段の特定結果よりも、前記記憶手段に記憶されている手ぶれ傾向情報を優先し、当該手ぶれ傾向情報に示された手ぶれ傾向に応じて前記撮影手段が撮影を実行する第１優先モードと、
前記手ぶれ傾向情報よりも、前記手ぶれ傾向特定手段の特定結果を優先し、当該特定結果が示す手ぶれ傾向に応じて前記撮影手段が撮影を実行する第２優先モードとを選択可能にする手段、
前記撮影手段が前記第１手ぶれ傾向に応じて前記撮影を実行する場合、前記操作子の操作後のぶれ量が収束したときに撮影を開始させ、前記第２手ぶれ傾向に応じて前記撮影を実行する場合、露光時間、絞り値および感度を含む撮影条件を、撮影画像にぶれが生じにくい撮影条件に変更して撮影を開始させる手段
として機能させることを特徴とするプログラム。
【手続補正２】
【補正対象書類名】明細書
【補正対象項目名】発明の名称
【補正方法】変更
【補正の内容】
【発明の名称】撮影装置、電子機器及びプログラム
【手続補正３】
【補正対象書類名】明細書
【補正対象項目名】０００４
【補正方法】変更
【補正の内容】
【０００４】
本発明は、上述した事情に鑑みてなされたものであり、撮影者の手ぶれ傾向を簡易に特定し、その手ぶれ傾向に合わせて適切な撮影を行うことで、撮影画像に生じるぶれを低減可能な撮影装置、電子機器及びプログラムを提供することにある。
【手続補正４】
【補正対象書類名】明細書
【補正対象項目名】０００５
【補正方法】変更
【補正の内容】
【０００５】
上記目的を達成するために、本発明は、撮影指示を入力するための操作子と、前記操作子の操作に基づいて撮影を実行する撮影手段とを備えた撮影装置であって、ぶれ量を検出するぶれ量検出手段と、前記ぶれ量検出手段の検出結果に基づいて前記操作子が操作される前後のぶれ量を比較して、撮影者の手ぶれ傾向が、前記操作子の操作の後に撮影画像に生じるぶれが視認し難くなる程度のぶれ量に収束する第１手ぶれ傾向、及び、前記操作子の操作の後に撮影画像に生じるぶれが視認し難くなる程度のぶれ量に収束しない第２手ぶれ傾向の何れであるかを特定し、前記手ぶれ傾向情報を生成する手ぶれ傾向情報生成手段と、前記手ぶれ傾向情報生成手段によって生成された手ぶれ傾向情報を記憶する記憶手段と、前記操作子が操作される前のぶれ量に基づいて、撮影者の手ぶれ傾向が前記第１手ぶれ傾向及び第２手ぶれ傾向の何れであるかを特定する手ぶれ傾向特定手段と、を備え、前記手ぶれ傾向特定手段の特定結果よりも、前記記憶手段に記憶されている手ぶれ傾向情報を優先し、当該手ぶれ傾向情報に示された手ぶれ傾向に応じて前記撮影手段が撮影を実行する第１優先モードと、前記手ぶれ傾向情報よりも、前記手ぶれ傾向特定手段の特定結果を優先し、当該特定結果が示す手ぶれ傾向に応じて前記撮影手段が撮影を実行する第２優先モードとが選択可能に構成されるとともに、前記撮影手段は、前記第１手ぶれ傾向に応じて前記撮影を実行する場合、前記操作子の操作後のぶれ量が収束したときに撮影を開始し、前記第２手ぶれ傾向に応じて前記撮影を実行する場合、露光時間、絞り値および感度を含む撮影条件を、撮影画像にぶれが生じにくい撮影条件に変更して撮影を開始することを特徴とする。
【手続補正５】
【補正対象書類名】明細書
【補正対象項目名】０００８
【補正方法】変更
【補正の内容】
【０００８】
また本発明によれば、前記撮影者の手ぶれ傾向を、前記操作子が操作される前後のぶれ量を比較して特定するため、前記手ぶれ傾向特定手段よりも正確に手ぶれ傾向を特定することができる。
【手続補正６】
【補正対象書類名】明細書
【補正対象項目名】０００９
【補正方法】変更
【補正の内容】
【０００９】
また、本発明によれば、撮影者の手ぶれ傾向が第１および第２手ぶれ傾向のいずれかに特定されることで、操作子の操作後に、撮影者の手ぶれが小さくなるか否かが特定されるため、操作子の操作から時間をおくだけで、ぶれの無い撮影が可能であるか否かを特定することができる。
【手続補正７】
【補正対象書類名】明細書
【補正対象項目名】００１０
【補正方法】変更
【補正の内容】
【００１０】
また、本発明によれば、手ぶれが収束したタイミングですぐに撮影を行うことができ、タイムラグを抑制しつつ、ぶれが少ない画像を撮影することが可能になる。
また、本発明によれば、ぶれが生じにくい撮影条件ですぐに撮影を行うので、ぶれの少ない画像をタイムラグなく撮影することが可能になる。
なお、本発明に係る撮影装置を備えた電子機器も本発明に含まれるものである。
【手続補正８】
【補正対象書類名】明細書
【補正対象項目名】００１１
【補正方法】変更
【補正の内容】
【００１１】
また、上記目的を達成するために、本発明は、撮影指示を入力するための操作子と、前記操作子の操作に基づいて撮影を実行する撮影手段と、ぶれ量を検出するぶれ量検出手段とを備えた撮影装置を、前記ぶれ量検出手段の検出結果に基づいて前記操作子が操作される前後のぶれ量を比較して、撮影者の手ぶれ傾向が、前記操作子の操作の後に撮影画像に生じるぶれが視認し難くなる程度のぶれ量に収束する第１手ぶれ傾向、及び、前記操作子の操作の後に撮影画像に生じるぶれが視認し難くなる程度のぶれ量に収束しない第２手ぶれ傾向の何れであるかを特定し、前記手ぶれ傾向情報を生成する手ぶれ傾向情報生成手段、前記手ぶれ傾向情報生成手段によって生成された手ぶれ傾向情報を記憶する記憶手段、前記操作子が操作される前のぶれ量に基づいて、撮影者の手ぶれ傾向が前記第１手ぶれ傾向及び第２手ぶれ傾向の何れであるかを特定する手ぶれ傾向特定手段、前記手ぶれ傾向特定手段の特定結果よりも、前記記憶手段に記憶されている手ぶれ傾向情報を優先し、当該手ぶれ傾向情報に示された手ぶれ傾向に応じて前記撮影手段が撮影を実行する第１優先モードと、前記手ぶれ傾向情報よりも、前記手ぶれ傾向特定手段の特定結果を優先し、当該特定結果が示す手ぶれ傾向に応じて前記撮影手段が撮影を実行する第２優先モードとを選択可能にする手段、前記撮影手段が前記第１手ぶれ傾向に応じて前記撮影を実行する場合、前記操作子の操作後のぶれ量が収束したときに撮影を開始させ、前記第２手ぶれ傾向に応じて前記撮影を実行する場合、露光時間、絞り値および感度を含む撮影条件を、撮影画像にぶれが生じにくい撮影条件に変更して撮影を開始させる手段として機能させることを特徴とするプログラムを提供する。
なお、本発明に係るプログラムを記録したコンピュータ読み取り可能な記録媒体も本発明に含まれるものである。